(57)【要約】【課題】軽量化でき、材料の使用量を減少でき、構造の強度が高いコップを提供する。【解決手段】円錐台形状を呈する本体を含み、前記本体は、底面と、外側面と、内側面と、を有し、前記底面と前記内側面とから液体収容空間が形成され、前記外側面が円錐弧面であり、前記内側面は縦方向に沿って延びる円錐弧面を有し、前記円錐弧面は、前記内側面を巡るように配列し、その左右端が互いに連接して波状を成し、前記外側面は予定の高度での半径がＲ１であり、前記内側面は予定の高度での半径がＲ２であり、前記円錐弧面は予定の高度での半径がＲ３である場合には、６５％＜Ｒ３/Ｒ１＜８０％と、１％＜（Ｒ１-Ｒ２）/Ｒ１＜３％との関係を満足する。【選択図】図２
2011218144.tif 000002
【特許請求の範囲】
【請求項１】
円錐台形状を呈する本体を含み、前記本体は、底面と、外側面と、内側面と、を有し、前記底面と前記内側面とから液体収容空間が形成され、前記外側面が円錐弧面であり、前記内側面は縦方向に沿って延びる円錐弧面を有し、前記円錐弧面は、前記内側面を巡るように配列し、その左右端が互いに連接して波状を成し、前記外側面は予定の高度での半径がＲ１であり、前記内側面は予定の高度での半径がＲ２であり、前記円錐弧面は予定の高度での曲率半径がＲ３である場合には、６５％＜Ｒ３/Ｒ１＜８０％と、１％＜（Ｒ１-Ｒ２）/Ｒ１＜３％との関係を満足することを特徴とするコップ。
【請求項２】
前記内側面は４５個から６０個の前記円錐弧面を有することを特徴とする、請求項１に記載のコップ。
【請求項３】
隣接する前記円錐弧面同士の間には面取りを有することを特徴とする、請求項１に記載のコップ。
【請求項４】
前記内側面は、更に、少なくとも一つの環状円弧面を有し、これらの前記環状円弧面は予定の高度での半径がＲ２であり、これらの前記環状円弧面により、これらの前記円錐弧面が複数の上下セクションに分けられることを特徴とする、請求項１に記載のコップ。
【請求項５】
前記本体の内外側面に環状階段面が設けられることを特徴とする、請求項１に記載のコップ。
【発明の詳細な説明】
【技術分野】
【０００１】
本発明は、コップに関するものである。
【背景技術】
【０００２】
コップは液体を収容するためのものである。軽量化およびローコストの要請を満足するために、使い捨てコップの材料は、ポリエチレンテレフタレート（ＰＥＴ）、高密度ポリエチレン（ＨＤＰＥ、ＰＥ）、ポリ塩化ビニール（ＰＶＣ）、低密度ポリエチレン（ＬＤＰＥ、ＰＥ）、又はポリプロピレン（ＰＰ）などを採用する。
【０００３】
樹脂製の使い捨てコップは、構造の強度を増加して破裂を回避するために、その厚さを増加することが一般であるが、そうすると、樹脂材料の使用量が増加し、生産コストが増加する。
【０００４】
上記の問題を解決するために、特許文献１の台湾特許Ｍ３６０６３９号の「断熱コップ」が提案された。この断熱コップは、内層が波状を呈するものであり、外層がスリーブであるため、内外層の間に隙間があり、前記隙間により断熱の目的を達成でき、そしてコップの構造の強度も増加する。しかし、このような構成によれば、材料がかなりかかり、且つ内外層は別々に製造することが必要であるため、生産コストが増加する。
【先行技術文献】
【特許文献】
【０００５】
【特許文献１】台湾特許Ｍ３６０６３９号公報
【発明の概要】
【発明が解決しようとする課題】
【０００６】
本発明の主な目的は、軽量化でき、材料の使用量を減少でき、構造の強度が高いコップを提供することにある。
【課題を解決するための手段】
【０００７】
本発明のコップによると、円錐台形状を呈する本体を含み、前記本体は、底面と、外側面と、内側面と、を有し、前記底面と前記内側面とから液体収容空間が形成され、前記外側面が円錐弧面であり、前記内側面は縦方向に沿って延びる円錐弧面を有し、前記円錐弧面は、前記内側面を巡るように配列し、その左右端が互いに連接して波状を成し、前記外側面は予定の高度での半径がＲ１であり、前記内側面は予定の高度での半径がＲ２であり、前記円錐弧面は予定の高度での曲率半径がＲ３である場合には、６５％＜Ｒ３/Ｒ１＜８０％と、１％＜（Ｒ１-Ｒ２）/Ｒ１＜３％との関係を満足することを特徴とする。
【０００８】
本発明のコップによると、前記内側面は４５個から６０個の前記円錐弧面を有することを特徴とする。
【０００９】
本発明のコップによると、隣接する前記円錐弧面同士の間には面取りを有することを特徴とする。
【００１０】
本発明のコップによると、前記内側面は、更に、少なくとも一つの環状円弧面を有し、これらの前記環状円弧面は予定の高度での半径がＲ２であり、これらの前記環状円弧面により、これらの前記円錐弧面が若干の上下セクションに分けられることを特徴とする。
【００１１】
本発明のコップによると、前記本体の内外側面に環状階段面が設けられることを特徴とする。
【発明の効果】
【００１２】
本発明のコップによれば、軽量化でき、材料の使用量を減少でき、構造の強度が高いという効果を有する。
【図面の簡単な説明】
【００１３】
【図１】本発明の一実施例の斜視図である。
【図２】本発明の一実施例の縦断面図である。
【図３】本発明の一実施例の予定高度での横断面図である。
【図４】図３の一部の拡大図である。
【発明を実施するための形態】
【００１４】
以下、本発明の実施の形態を図面に基づいて説明する。
まず、図１乃至図４を参照する。本発明の一実施例のコップは、円錐台形状を呈する本体１０を含む、本体１０は、底面１１と、外側面１２と、内側面１３と、を有する。底面１１と内側面１３とから液体収容空間が形成され、前記液体収容空間は溶液や粒状体などを収容できる。外側面１２が平滑な円錐弧面であり、これにより、外側面１２に印刷することができ、或いは外側面１２にフィルムを貼り付けることができる。内側面１３は縦方向に沿って延びる円錐弧面１４を有する。円錐弧面１４は、内側面１３を巡るように配列し、その左右端が互いに連接して波状を成す。内側面１３は４５個から６０個の円錐弧面１４を有することが好ましい。隣接する円錐弧面１４同士の間には、窪み１５が自然に形成され、面取りを有することが好ましい。前記窪み又は面取りにより、材料の使用量を減少でき、全体の重量を減少できる。
【００１５】
外側面１２は予定の高度での半径がＲ１であり、内側面１３は予定の高度での半径がＲ２であり、円錐弧面１４は予定の高度での曲率半径がＲ３である場合には、６５％＜Ｒ３/Ｒ１＜８０％と、１％＜（Ｒ１-Ｒ２）/Ｒ１＜３％との関係を満足する。そうすると、本発明のコップの構造の強度を増加できる。
【００１６】
一方、コップの高さがより高い場合には、内側面１３は、更に、少なくとも一つの環状円弧面１６を有し、これらの環状円弧面１６は予定の高度での半径がＲ２であり、内側面１３の環状円弧面１６では窪み１５が形成されないと想像でき、これにより、これらの環状円弧面１６により、これらの円錐弧面１４が若干の上下セクションに分けられる。そうすると、コップの構造の強度を増加でき、変形し難い。
【００１７】
また、本体１０の内側面１３と外側面１２とには、更に、環状階段面１７が設けられる。
【００１８】
上記の説明から明らかなように、本発明のコップは、内側面１３の半径がＲ２で窪み１５が形成されないコップに比べると、コップ全体の重量の１０％から３０％を減少でき、且つ構造の強度が近似するため、軽量化でき、材料の使用量を減少でき、構造の強度が高いという効果を有する。
【産業上の利用可能性】
【００１９】
本発明は、コップに適用することができる。
【符号の説明】
【００２０】
１０：本体
１１：底面
１２：外側面
１３：内側面
１４：円錐弧面
１５：窪み
１６：環状円弧面
１７：環状階段面
【図１】
2011218144.tif 000003
【図２】
2011218144.tif 000004
【図３】
2011218144.tif 000005
【図４】
2011218144.tif 000006